(57)【要約】      （修正有）【課題】インクジェットプリンタの保守機構は、インクジェットプリンタが印刷前に試験噴射するインクを集める。【解決手段】円形のインク盤３００を含み、そのインク盤の円形辺は外向きに傾斜した弾性腕３２１が伸びる。ドライバー４００は弾性腕の傾斜方向と反対方向にインク盤の弾性腕を押さえてインク盤を押して回転させる。停止腕４３０は円形辺に沿った法線方向に沿い、弾性腕の押圧、もしくは円形辺に沿った接線方向に沿い、弾性腕を押してインク盤を回転させたり、インク盤の回転を止めたりする。【選択図】図９
0003130856.tif 000002
【実用新案登録請求の範囲】
【請求項１】
円形のインク盤とドライバーと停止腕から構成されたインクジェットプリンタの保守機構において、
外向きに伸びて傾斜した弾性腕を具える円形のインク盤と、
弾性腕の傾斜方向と反対にインク盤を押して回転し、インク盤の弾性腕を押さえるドライバーと、
円形辺に沿った法線方向に沿い、弾性腕を押圧、もしくは円形辺に沿った接線方向に沿い、インク盤の回転を回転し弾性腕を押さえるのを止める停止腕から構成されることを特徴とするインクジェットプリンタの保守機構。
【請求項２】
請求項１記載のインクジェットプリンタの保守機構において、前記弾性腕は、インク盤の円形辺から外向き垂直に伸びた基部とその基部待たんから回転リングの法線方向と接線方向に沿って外向きに伸びた停止部を具えることを特徴とするインクジェットプリンタの保守機構。
【請求項３】
請求項２記載のインクジェットプリンタの保守機構において、前記インク盤は、円形の基板と基板の円形辺に沿った上に固定する回転リングを具え、弾性腕を回転リング状に固定することを特徴とするインクジェットプリンタの保守機構。
【考案の詳細な説明】
【技術分野】
【０００１】
本考案は、インクジェットプリンタの保守機構に関するもので、インクジェットプリンタの印刷前に試験噴出したインクを収集する保守機構である。
【背景技術】
【０００２】
プリンタの印刷を開始する前のインクヘッドは、予熱試験噴出と、印刷を終了した後にインクヘッド上に残留したインクを取り除き、インクヘッドに蓋をして内のインクが乾くのを防ぐ必要がある。そのため、現在のプリンタは保守機構を具え、予熱試験噴射したインクを集め、インクヘッド上に残留したインクを取り除いている。
【０００３】
図１に示すとおり、プリンタのインクヘッドが移動する時に、プリンタ保守機構のヘラ片２１０´を通過し、インクヘッド上に残留したインクを取り除き、インクヘッド蓋２２０´を通過して蓋をし、インクヘッド内のインクが乾かないようにする。またインク盤３００´を通過してインクヘッド余熱試験噴射したインクを集める。
【０００４】
図２及び図３に示すとおり、現在のプリンタ保守機構のインク盤３００’は回転軸３３０´上に枢設し、且つインク盤３００´と回転軸３３０´の間に一定の隙間を形成させる。ドライバー４００´がインク盤３００´を回転させ、インク盤３００´をインクヘッドに予熱試験噴射のインクを平均して接触させる。ドライバー４３０´はインク盤３００´を押さえ、インク盤３００´が逆回転しないようにする。
【０００５】
ドライバー４００´は、図２の矢印の方向に沿ってインク盤３００´を押した時、インク盤３３０´と回転軸３３０´の間の隙間によって、インク盤３００´を右上方向に移動させ、停止塊４３０´の押さえを外し、インク盤３００´が回転する。ドライバー４００´が、図３の矢印の方向に沿って移動して復位すると、インク盤と回転軸３３０´の間の隙間がインク盤３００´を左下方向に移動させ、停止塊４３０´で止まり、インクの逆回転を防止する。
【０００６】
インク盤３００´と回転軸３３０´の間の隙間と停止塊４３０´の位置を制御することは大変困難で、製造時の誤差によって、インク盤３００´が動かなることや、ドライバー４００´が図３の矢印方向に移動する時、インク盤３００´が逆回転しやすい点である。
【考案の開示】
【考案が解決しようとする課題】
【０００７】
本考案の目的は、上述の欠点に於いて、インクジェットプリンタの保守機構を提供する。このインクジェットプリンタの保守機構は、インク盤の駆動不能を防止し、ドライバーがインク盤を逆回転させるのを防止する。
【０００８】
上述の目的のため、本考案のインクジェットプリンタの保守機構は、円形のインク盤を含み、そのインク盤の円形縁は、外向きに傾斜した弾性腕が伸びる。ドライバーは、弾性腕の傾斜方向と反対にインク盤を押して回転し、インク盤の弾性腕を押さえる。また停止腕は、円形辺に沿った法線方向に沿い、弾性腕を押圧、もしくは円形辺に沿った接線方向に沿い、インク盤の回転を止めて弾性腕を押さえる。
【課題を解決するための手段】
【０００９】
請求項１の考案は、円形のインク盤とドライバーと停止腕から構成されたインクジェットプリンタの保守機構において、
外向きに伸びて傾斜した弾性腕を具える円形のインク盤と、
弾性腕の傾斜方向と反対にインク盤を押して回転し、インク盤の弾性腕を押さえるドライバーと、
円形辺に沿った法線方向に沿い、弾性腕を押圧、もしくは円形辺に沿った接線方向に沿い、インク盤の回転を回転し弾性腕を押さえるのを止める停止腕から構成されることを特徴とするインクジェットプリンタの保守機構としている。
請求項２の考案は、請求項１記載のインクジェットプリンタの保守機構において、前記弾性腕は、インク盤の円形辺から外向き垂直に伸びた基部とその基部待たんから回転リングの法線方向と接線方向に沿って外向きに伸びた停止部を具えることを特徴とするインクジェットプリンタの保守機構としている。
請求項３の考案は、請求項２記載のインクジェットプリンタの保守機構において、前記インク盤は、円形の基板と基板の円形辺に沿った上に固定する回転リングを具え、弾性腕を回転リング状に固定することを特徴とするインクジェットプリンタの保守機構としている。
【考案の効果】
【００１０】
本考案のインクジェットプリンタの保守機構はインク盤の弾性腕に傾斜を具え、それによって弾性腕はインク盤の法線方向上で容易に折曲変形し、インク盤の接線方向では折曲変形しにくい。ドライバーが弾性腕の傾斜方向と反対に沿ってインク盤を押した時、停止腕はインク盤の円形辺に沿った法線方向に沿い、弾性腕を押し、弾性腕を折曲変形し、ドライバーはインク盤の弾性腕を押してインク盤を回転させる。ドライバーが反対方向に移動した時、停止腕は円形辺に沿った接線方向に沿い、弾性腕を押さえ、インク盤の回転を止める。そのため、本考案の保守機構はインク盤の駆動不能を防止し、ドライバーがインク盤を押して逆回転するのを防ぐ。
【考案を実施するための最良の形態】
【００１１】
図４及び図５に示すとおり、本考案の保守機構１０は、フレーム１００、フレーム１００上に可動設置する保守ユニット２００、フレーム１００上に枢設するインク盤３００及び保守ユニット２００上に固定するドライバー４００を含む。
【００１２】
図６及び図７に示すとおり、フレーム１００は両支持板１１０と両連接板１２０を具える。両連接板１２０は両支持板１１０に垂直に設置し、両支持板１１０の両端に固定する。それによってフレーム１００は筐状を形成して納置空間１３０を有する。各支持板１１０上には左上方向に伸びた円弧形の両開槽１１１を設置し、前側の支持板１１０の中部には欠切口１１２を設置する。
【００１３】
保守ユニット２００は、移動台２１０、両インクヘッド蓋ユニット２２０、両ヘラ片ユニット２３０、滑動板栓２４０及び張力バネ２５０を具える。移動台２１０は納置空間１３０内に設置し、その移動台２１０は、底板２１１と、底板２１１前後端各々に、垂直上向きに伸びた側面板２１２を具える。底板２１１のおよそ中心部と右端には開口２１３を設置する。各一側面板２１２上には、外向き垂直に両滑動桿２１４がそれぞれ伸び、そのうち前側の側面板のおよそ中心部には外向き垂直に枢設桿２１５が伸びる。滑動桿２１４は相互に対応する開槽１１１内に差し込み、移動台２１０に導かれ、相対する支持板１１０が移動する。両インクヘッド蓋ユニット２２０と、両ヘラ片ユニット２３０は底板上で固定し、相互に対応する開口２１３の左右両側に位置する。
【００１４】
滑動板栓２４０のおよそ中心部には枢設軸台２４１が突出し、その枢設軸台２４１を支持板１１０の欠切口１１２と、側面板２１２枢設桿２１５に差し込んで枢設する。滑動板栓２４０の右端には上向き垂直に停止塊２４２が延びる。この停止塊２４２の右側縁は円弧形で、停止塊２４２の左側縁は垂直面を形成する。張力バネ２５０の一端は滑動板栓２４０の左端に掛合し、別一端はフレーム１００上に掛合する。
【００１５】
図７から図９に示すとおり、インク盤３００は、円形の基板３１０である。この基板３１０の中央部には回転軸台３１１が垂直に伸びる。この回転軸台３１１によって、インク盤３００をフレーム１００に枢設し、保守ユニット２００の下方に設置する。基板３１０の辺縁には基板に対して垂直の回転リング３２０を固定する。この回転リング３２０と基板３１０が盤状に合わさり、プリンタのインクヘッド予熱試験噴射したインクを受ける。回転リング３２０の外側縁は弾性材で製造された傾斜した弾性腕３２１を具える。この弾性腕３２１は基部３２２と停止部３２３を具える。その基部３２２は回転リング３２０の法線方向に沿い外方向に伸び、基部３２２は回転リング３２０の法線方向に沿って外向きにのびて構成し、基部は即ち回転リング３２０の底縁に垂直を形成する。停止部３２３は基部３２２末端から回転リング３２０の法線方向と、接線方向に沿い、外向きに湾曲し、停止部３２３と基部３２２の間の角が鈍角となる。弾性腕３２１の停止部３２３は、傾斜角度を具え、そのため回転リング３２０の法線方向に於いて停止部３２３を押しては基部３２２と停止部３２３の連接箇所を簡単に巻き付けて折曲変形し、回転リング３２０の接線方向では停止部３２３は湾曲変形しにくい。
【００１６】
ドライバー４００は、固定腕４１０と固定腕４１０に垂直に固定する駆動腕４２０を具える。固定腕４１０は、保守ユニット２００の移動台２１０の底板２１１に固定してドライバー４００を、移動台２１０と共に移動させる。駆動腕４２０はインク盤３００の弾性腕３２１の停止部３２３を押してインク盤３００を回転させる。停止腕４３０は、相対する位置に設置してインク盤３００の逆回転を防止する。
【００１７】
図６、図８及び図９に示すとおり、プリンタが印刷をする時、プリンタのインクヘッドは右方向に移動し、インクヘッドは滑動板栓２４０の停止塊２４２の左側縁を押して滑動板栓２４０の枢設軸台２４１が保守ユニット２００の移動台２１０を動かし、支持板１１０の開槽１１１に沿って右下方向に移動させる。この過程において、インクヘッドとインクヘッド蓋ユニット２２０が蓋を外して予熱試験噴射動作を行う。インクヘッド予熱試験噴射をした時のインクは開口２１３を通ってインク盤３００の基板３１０上に落ちる。ドライバー４００は図８の矢印方向に移動し、ドライバー４００の駆動腕４２０は回転リング３２０の法線方向上で停止部３２３を押し、停止腕４３０は回転リング３２０の接線方向に沿って停止部３２３を押さえる。弾性腕３２１が回転リング３２０の法線方向上で楽に折曲変形することにより、回転リング３２０の接線方向上では折曲変形しにくく、これによって停止腕４３０がインク盤３００を止めて回転を止める。
【００１８】
プリンタが印刷を停止した時、プリンタのインクヘッドは左に移動し、インクヘッドが滑動板栓２４０の停止塊２４２の右側縁を押さえて滑動板栓２４０の枢設台２４１が保守ユニット２００の移動台２１０を動かし、支持板１１０の開槽１１１に沿って左上方向に移動させる。この過程に於いて、ヘラ片ユニット２３０がインクヘッド上のインクを取り除き、インクヘッド蓋ユニット２２０がインクヘッドを被せてインクヘッド内のインクが乾くのを防止する。ドライバー４００は、図９の矢印Ａ方向に沿って移動し、ドライバー４００の駆動腕４２０は回転リング３２０の接線方向に沿って停止部３２３を押さえ、停止腕は回転リングの接線方向に沿って停止部３２３を折曲変形させる。これによってインク盤３００は図９矢印Ｂ方向に沿ってインク盤３００を回転させ、インクヘッドに予熱試験噴射したインクを平均して付ける。
【００１９】
上述に示すとおり、本考案の保守機構１０の弾性腕３２１の停止部３２３は傾斜角度を具えているため、弾性腕３２１は回転リング３２０の法線方向において容易に折曲変形し、回転リング３２０の接線方向においては折曲変形しにくい。ドライバー４００が弾性腕３２１の傾斜方向と反対方向に沿ってインク盤３００を押した時、停止腕４３０は回転リング３２０の法線方向に沿って弾性腕３２１を押し、弾性腕３２１を折曲変形し、ドライバーがインク盤３００の弾性腕３２１を押さえてインク盤３００を回転させる。ドライバー４００が反対方向に移動する時、停止腕４３０は回転リング３２０の接線方向に沿い、弾性腕３２１を押し、インク盤３００を回転させる。これによって本考案の保守機構は公知のインク盤と回転軸の間の隙間を必要としないため、本考案の保守機構がインク盤３００の駆動不能や、ドライバー４００がインク盤を押して逆回転してしまうのを防止する。
【図面の簡単な説明】
【００２０】
【図１】公知のプリンタの保守機構の立体図である。
【図２】図１のプリンタの保守機構のインク盤作動概略図である。
【図３】図１のプリンタの保守機構のインク盤作動概略図である。
【図４】本考案のプリンタの保守機構立体図である。
【図５】本考案のプリンタの保守機構を別の角度から見た立体図である。
【図６】本考案のプリンタの保守機構の正面図である。
【図７】本考案のプリンタの保守機構の立体分解図である。
【図８】本考案のプリンタの保守機構のインク盤の作動概略図である。
【図９】本考案のプリンタの保守機構のインク盤の作動概略図である。
【符号の説明】
【００２１】
１０        保守機構
１００        フレーム
１１０        支持板
１１１        開槽
１１２        欠切口
１２０        連接板
１３０        納置空間
２００        保守ユニット
２１０        移動台
２１１        底板
２１２        側面板
２１３        開口
２１４        滑動桿
２１５        枢設桿
２２０        インクヘッド蓋ユニット
２３０        ヘラ片ユニット
２４０        滑動板栓
２４１        枢設軸台
２４２        停止塊
２５０        張力バネ
３００        インク盤
３１０        基板
３１１        回転軸台
３２０        回転リング
３２１        弾性腕
３２２        基部
３２３        停止部
４００        ドライバー
４１０        固定腕
４２０        駆動腕
４３０        停止腕
【図１】
0003130856.tif 000003
【図２】
0003130856.tif 000004
【図３】
0003130856.tif 000005
【図４】
0003130856.tif 000006
【図５】
0003130856.tif 000007
【図６】
0003130856.tif 000008
【図７】
0003130856.tif 000009
【図８】
0003130856.tif 000010
【図９】
0003130856.tif 000011